【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】  スーパーキャパシタであって、
第１の電極と、
第１の電極に対して係留式に保持された隔離体シートと、
隔離体シートに対して当接する第２の電極とを含み、これら電極は隔てられた構成に維持され、前記スーパーキャパシタはさらに、
電極、隔離体シートおよび電解質を収容して、電極間のイオン伝導を可能にするためのハウジングと、
それぞれの電極に接続され、前記電極への外部電気的接続を可能にするための２つの端子とを含む、スーパーキャパシタ。
【請求項２】  スーパーキャパシタであって、
第１の電極と、
第１の電極に隣接して配置された第２の電極と、
第２の電極に対してのみ係留式に保持され、これら電極を隔てられた構成に維持するための隔離体と、
電極、隔離体および電解質を収容して、電極間のイオン伝導を可能にするためのハウジングと、
それぞれの電極に接続され、前記電極への外部電気的接続を可能にするための２つの端子とを含む、スーパーキャパシタ。
【請求項３】  スーパーキャパシタであって、
第１の電極と、
第１の電極に隣接して配置された第２の電極と、
第２の電極に対して係留式に保持され、第１の電極に対しては係留式に保持されずに、これら電極を隔てられた構成に維持するための隔離体と、
電極、隔離体および電解質を収容して、電極間のイオン伝導を可能にするためのハウジングと、
それぞれの電極に接続され、前記電極への外部電気的接続を可能にするための２つの端子とを含む、スーパーキャパシタ。
【請求項４】  エネルギ貯蔵装置であって、
第１の電極と、
第１の電極に隣接して配置された第２の電極と、
第２の電極に対して張力下で保持され、これら電極を隔てられた構成に維持するための隔離体と、
電極、隔離体および電解質を収容して、電極間のイオン伝導を可能にするためのハウジングと、
それぞれの電極に接続され、前記電極への外部電気的接続を可能にするための２つの端子とを含む、エネルギ貯蔵装置。
【請求項５】  エネルギ貯蔵装置であって、
第１の電極と、
第１の電極に隣接して配置される第２の電極とを含み、前記第２の電極は少なくとも１つの端縁を有し、前記エネルギ貯蔵装置はさらに、
２つの対向する面を有する隔離体を含み、前記２つの対向する面は第２の電極を挟み、かつ前記端縁で当接して結合されて、これら電極を隔てられた構成に維持し、前記エネルギ貯蔵装置はさらに、
電極、隔離体および電解質を収容して、電極間のイオン伝導を可能にするためのハウジングと、
それぞれの電極に接続され、前記電極への外部電気的接続を可能にするための２つの端子とを含む、エネルギ貯蔵装置。
【請求項６】  前記第２の電極は少なくとも３つの端縁を含み、前記２つの対向する面同士は、前記端縁すべてで当接して結合される、請求項５に記載のエネルギ貯蔵装置。
【請求項７】  前記２つの対向する面同士は、各端縁の全体よりも少ない部分において当接して結合される、請求項５または請求項６に記載のエネルギ貯蔵装置。
【請求項８】  前記隔離体は、周辺で互いに接続される２枚の有孔シートを含む、請求項５に記載のエネルギ貯蔵装置。
【請求項９】  前記第２の電極は、第１の側部、第１の側部の対向の第２の側部、および、第１の側部と第２の側部とを結合する共通の周辺端縁を有する、シート電極であり、前記隔離体は、
前記第１の側部を横切って延びる第１の有孔シートを含み、前記第１の有孔シートは、前記共通の周辺端縁を超えて突き出る少なくとも１つの第１の端縁を含み、前記隔離体はさらに、
前記第２の側部を横切って延びる第２の有孔シートを含み、前記第２の有孔シートは、前記共通の周辺端縁を超えて突き出る少なくとも１つの第２の端縁を含み、前記第１の端縁と第２の端縁とは接続されて、隔離体を第２の電極に対して係留式に保持する、請求項５に記載のエネルギ貯蔵装置。
【請求項１０】  前記第１の端縁と第２の端縁との接続は、第１の端縁と第２の端縁とを固着することを含む、請求項９に記載のエネルギ貯蔵装置。
【請求項１１】  前記固着は、前記端縁同士を熱溶接することを含む、請求項１０に記載のエネルギ貯蔵装置。
【請求項１２】  前記固着は、前記端縁同士を接着することを含む、請求項１０に記載のエネルギ貯蔵装置。
【請求項１３】  前記固着は、前記端縁同士を熱封止することを含む、請求項１０に記載のエネルギ貯蔵装置。
【請求項１４】  互いに交互にハウジング内に収容される、同じような複数の第１の電極および第２の電極を含み、第１の電極すべては前記端子のうち一方に電気的に接続され、第２の電極すべては他方の電極に接続され、さらに
同じような複数の隔離体を含み、前記複数の隔離体は、各々がそれぞれの第２の電極のまわりに延びて、前記各隣接する第１の電極から前記電極を隔てられた構成に維持する、請求項５に記載のエネルギ貯蔵装置。
【請求項１５】  前記第２の電極は、複数の隔てられた横断方向の溝を有する連続的な長手方向に延びる導電性シートから形成され、前記有孔シートは溝を通じて互いに接続される、請求項１４に記載のエネルギ貯蔵装置。
【請求項１６】  前記導電性シートは、横断方向に溝を通じて切断されて複数の別個のサブ電極をもたらす、請求項１５に記載のエネルギ貯蔵装置。
【請求項１７】  前記溝同士は等しく長手方向に隔てられ、前記サブ電極同士は実質的に等価である、請求項１６に記載のエネルギ貯蔵装置。
【請求項１８】  前記第１の電極は複数の別個のサブ電極を含み、前記複数のサブ電極は、第２の電極についての対応する複数のサブ電極と交互に積み重ねられる、請求項１６に記載のエネルギ貯蔵装置。
【請求項１９】  各々のサブ電極は電極区域を含み、前記第１および第２の電極のサブ電極は、対応する電極区域から外方向に延びるそれぞれの第１および第２のタブを含む、請求項１８に記載のエネルギ貯蔵装置。
【請求項２０】  前記サブ電極は、電極すべての電極区域同士が重なり合い、第１のタブが互いに重なり合って電気的に接続され、かつ第２のタブが互いに重なり合って電気的に接続されるように積み重ねられ、第１のタブと第２のタブとは互いに重なり合わない、請求項１９に記載のエネルギ貯蔵装置。
【請求項２１】  前記隔離体は、前記２つの対向する面のうち１つを各々が形成する２枚の可撓性シートを含む、請求項５に記載のエネルギ貯蔵装置。
【請求項２２】  前記可撓性シートは有孔である、請求項２１に記載のエネルギ貯蔵装置。
【請求項２３】  前記２つの対向する面は、使用中に第２の電極に対して張力のかかった当接に維持される、請求項２１に記載のエネルギ貯蔵装置。
【請求項２４】  スーパーキャパシタ用の電極対であって、
外部表面を有する導電性エネルギ貯蔵要素を含む第１のシート電極と、前記表面に当接して係留式に保持される隔離体シートと、
前記隔離体シートに当接する外部表面を有する導電性エネルギ貯蔵要素を含む第２のシート電極とを備え、前記要素同士は隔てられた構成に維持される、電極対。
【請求項２５】  エネルギ貯蔵装置用の電極であって、
外部表面を有する導電性エネルギ貯蔵要素と、
張力下で前記表面に当接して保持される隔離体とを含む、電極。
【請求項２６】  エネルギ貯蔵装置用の電極であって、
少なくとも１つの端縁を有する導電性エネルギ貯蔵要素と、
２つの対向する面を有する隔離体とを含み、前記２つの面は前記要素を挟み、前記２つの面同士は前記端縁で当接し固定される、電極。
【請求項２７】  前記隔離体は、前記２つの対向する面のうち１つを各々が形成する２枚の可撓性シートを含む、請求項２６に記載の電極。
【請求項２８】  前記シートは有孔である、請求項２７に記載の電極。
【請求項２９】  前記２つの対向する面は、使用中に前記第２の電極に対して張力のかかった当接に維持される、請求項２６に記載の電極。
【請求項３０】  エネルギ貯蔵装置用の電極であって、前記電極は連続的な導電性シートから形成され、前記導電性シートは、第１の面と、第１の面の反対にある第２の面と、前記面間に延在する複数の開口部とを有し、前記電極は、
第１の面のうちいくらかまたはすべてによって画定される、または第１の面のうちいくらかまたはすべてに装着される、第１のエネルギ貯蔵要素と、
第１の要素にわたり、および第２の面のうち少なくともいくらかにわたって延びる隔離体とを含み、前記隔離体は開口部を通じてそれ自体に対して取付けられて、隔離体をシートに隣接して維持する、電極。
【請求項３１】  第２の面のうち少なくとも一部によって画定される、または第２の面のうち少なくとも一部に装着される、第２のエネルギ貯蔵要素を含み、前記隔離体は第２の要素を横切って延在する、請求項３０に記載の電極。
【請求項３２】  エネルギ貯蔵装置用の電極であって、前記電極は連続的な導電性シートから形成され、前記導電性シートは、第１の面と、第１の面から隔てられた第２の面
と、前記面間に延在する複数の開口部とを有し、前記電極は、
前記第１の面のうちいくらかまたはすべてによって画定される、または第１の面のうちいくらかまたはすべてに装着される、第１のエネルギ貯蔵要素と、
前記第２の面のうちいくらかまたはすべてによって画定される、または第２の面のうちいくらかまたはすべてに装着される、第２のエネルギ貯蔵要素と、
前記第１の要素および第２の要素を横切って延び、開口部を通じて自身に対して装着される隔離体とを含む、電極。
【請求項３３】  前記シートは長手方向に延び、前記開口部は横断方向の溝である、請求項３２に記載の電極。
【請求項３４】  前記溝は長手方向に隔てられ、かつ平行である、請求項３２に記載の電極。
【請求項３５】  各溝は隣接する溝から等しく長手方向に隔てられる、請求項３４に記載の電極。
【請求項３６】  前記シートは、２つの横断方向に隔てられた長手方向の端縁を含み、前記溝は一方の端縁から延びて他方の端縁に隣接して終わる、請求項３２に記載の電極。
【請求項３７】  前記シートは、２つの横断方向に隔てられた長手方向の端縁を含み、前記溝は、両方の端縁から内方向に延びて互いに隣接して終わる、請求項３２に記載の電極。
【請求項３８】  前記シートは、２つの横断方向に隔てられた長手方向の端縁を含み、前記溝は両方の端縁に隣接して終わる、請求項３２に記載の電極。